(57)【要約】【課題】防護柵や標識、照明灯の支柱あるいは壁面などへ簡単に取付けることができて、暗所でも運転者や歩行者の視線を誘導し、安全を図ることができる視線誘導用面材の提供。【解決手段】表面に蓄光放射機能部３と再帰反射機能部４を備え、裏面を貼着面５として、可撓性の視線誘導用面材１を構成する。貼着面５には粘着層７や磁力による吸着面８を形成して視線誘導用面材１を対象物へ取付けるための定着手段とする。定着手段としては、その他に紐１０、ファスナー１１、ホックボタン１４等を利用できる。【選択図】図１
0003124661.tif 000002
【実用新案登録請求の範囲】
【請求項１】
表面に蓄光放射機能部と再帰反射機能部を備え、裏面を貼着面とした可撓性の視線誘導用面材。
【請求項２】
蓄光放射機能部に透明な保護皮膜を形成してあることを特徴とした請求項１に記載の視線誘導用面材。
【請求項３】
貼着面に接着材による定着手段を備えたことを特徴とした請求項１又は２に記載の視線誘導用面材。
【請求項４】
貼着面は磁石材による定着手段を備えたことを特徴とした請求項１又は２に記載の視線誘導用面材。
【請求項５】
接着材による定着手段と磁石材による定着手段とを併用してあることを特徴とした請求項１又は２に記載の視線誘導用面材。
【請求項６】
磁石材による定着手段が視線誘導用面材のほぼ中央に配置してあり、他の部分に接着材による定着手段が配置されていることを特徴とした請求項５に記載の視線誘導用面材。
【請求項７】
定着性を有する部分が貼着面の全体に対して部分的である定着手段を設けたことを特徴とした請求項３〜５のいずれか一つに記載の視線誘導用面材。
【請求項８】
定着性を有する部分が貼着面の全体に均一に分散して定着手段となっていることを特徴とした請求項７に記載の視線誘導用面材。
【請求項９】
面材の両端を結合することによる定着手段を設けてあることを特徴とした請求項１〜９のいずれか一つに記載の視線誘導用面材。
【請求項１０】
面材の両端を結合する定着手段が、紐、ホック、鉤、面ファスナー、接着材のいずれかであることを特徴とした請求項９に記載の視線誘導用面材。
【考案の詳細な説明】
【技術分野】
【０００１】
本考案は、暗所において運転者や歩行者の注意を引き付ける面材に関する。
【背景技術】
【０００２】
暗い道路では対象物を見にくいために、車の運転者が防護柵や標識を認識するのが遅れる。このため運転者は前方の状況を確信できず、運転に不安を感じる。歩行者も同様で暗い街路では、何らかの視線を誘導するものが必要である。特に、停電時の地下街路などでは方向感覚を失うので、視線を誘導するものがあるとそれが行動の基礎になる。このような暗所で視線を誘導するものは蓄光性のものに限っても多数提案されている。例えば、特許文献１では、防災用蓄光シートとして、シート面に形成したＶ字形溝へ耐熱性透明シリコンにセラミック蓄光材と再帰反射ガラスビーズを混入したものを成形したものが開示され、特許文献２には、改良された蓄光性シートの組成と構造が開示されている。また、特許文献３には、道路に貼着するシートであって、蓄光材による標示部分の周りを再帰反射性の標示部で取り囲んだ構造の道路標示用シートが開示されている。さらに、特許文献４には、タイル状基板の表面に設けた凹溝に蓄光材とセラミックの混合物を焼成した蓄光路面標示物が開示され、特許文献５にはドーム状の頂面に蓄光セラミック含有プラスチック片を密着させた歩行者用道路標識鋲が開示されている。
【０００３】
【特許文献１】特開２００５−１１５３００号公報
【特許文献２】特開２００４−２３０６８９号公報
【特許文献３】特開２００４−３３２３８９号公報
【特許文献４】特開２００２−２２０８１８号公報
【特許文献５】特開２００１−２９５２３１号公報
【考案の開示】
【考案が解決しようとする課題】
【０００４】
蓄光性材料や再帰反射性材料を用いた道路標識や誘導標識は多数存在する。しかし、その多くは道路標識としてあるいは地下街路などの誘導標識と特殊化しており、比較的高価であり、また、簡単に取付けることが困難なために、さまざまな場所に使用できる汎用性を備えたものは少ない。このため、山間の道路や人里はなれた道路など、夜間に暗く誘導標識を必要とするにもかかわらず、費用や人手の関係で設置されていない場合がある。あるいは、災害時の被災地で、夜間の安全をはかるため臨時に誘導標識を設置する必要が生じたときなどに、手軽に、低いコストで対応することが困難である。
この発明は、防護柵や標識、照明灯の支柱あるいは壁面などへ簡単に取付けることができて、暗所でも運転者や歩行者の視線を誘導し、安全を図ることができる視線誘導用面材の提供を課題とする。
【課題を解決するための手段】
【０００５】
基材の表面に蓄光放射機能部と再帰反射機能部を設け、また、裏面を対象物への貼着面とし、全体を可撓性のある面材とする。基材は、ゴムシート、合成樹脂シート、布あるいは薄い金属板であって、耐候性を有し、対象物の曲面あるいは平面に対応して密着できる特性（可撓性）を備えたものとする。
蓄光放射機能部、再帰反射機能部は市販の蓄光フィルム（例えば、根元特殊化学株式会社のルミノーバシート（登録商標））や再帰反射フイルム（例えば、住友スリーエム（株）の蛍光ダイヤモンドグレード反射シート）を切り出し、基材の表面に貼り付けるなどして構成する。基材の表面に直接に蓄光層、再帰反射層を形成してもよい。
貼着面は視線誘導用面材を取付ける対象物と接する側の面のことで、対象部へは、接着材により、磁力により、あるいは縛りつけるなどの定着手段により取付けることができる。定着手段は、対象物の素材や構造に応じて使い分ける。
形態はさまざまであるが、長方形などの単純な平面形を基本とし、対象物へ取付けていない状態では、平らで、その状態からまるめたり、折り曲げたりできる。
【考案の効果】
【０００６】
本考案の視線誘導用面材は、簡単な形状で実質的には基材と蓄光機能部分と再帰反射部分だけの可撓性を備えた平らな面構成なので、汎用性があって安価であり、また、防護柵やポール、壁面などどのようなところにも簡単に利用でき、安価に多数を配置することができる。
【考案を実施するための最良の形態】
【０００７】
図１，２は、実施例１，２としての視線誘導用面材１であり、全体として長方形をしたシート状である。この面材１は、塩化ビニルシートを基材２としてその表面に蓄光放射機能部３と再帰反射機能部４を構成し、裏面を貼着面５としてある。蓄光放射機能部３は、市販の蓄光フィルムを貼り付けたものであり、再帰反射機能部４も市販の再帰反射フィルムを貼り付けて構成してある。符号６は保護皮膜で、酸化チタンのアモルファス状皮膜である。
基材２としては、ポリエチレンやポリエステルあるいはシリコン樹脂など耐候性の高い合成樹脂を利用できる。
【０００８】
貼着面５は、この実施例において粘着層７（例えば、日東電工（株）の両面接着テープＮｏ５００により形成される粘着層）による定着手段を備え、実施例１の視線誘導用面材１は接着により安全柵などの対象物に取り付けられるタイプである。なお、粘着層７は接着材により形成される層であり、接着材は接着剤を包含する。したがって、前記の貼着面５に塗布した接着剤によっても粘着層７を形成することができる。
実施例１は、長方形の短辺ｄ１＝１２０ｍｍ、長辺ｄ２＝３００ｍｍ、厚さ２ｍｍであり、通常では平らに延び広がった状態であるが、力を加えると巻いたり、曲げたりすることができ、力を除くと元に戻る可撓性を有する。したがって、ガードレールや壁面のような平らな面には、そのまま平らに貼り付けて定着し、比較的細いパイプやポールなどには、巻き付けるようにして貼り付けて、定着する。この場合、視線誘導用面材１は、対象物の断面が丸であれば丸く、四角であれば四角に変形するので汎用性が高い。
基材は薄い金属板であってもよい。この場合、視線誘導用面材１に可撓性は少なく、曲げるともとの平らな状態に戻すのは困難になる。粘着層７の接着強度は取り外すことを予定しないような強力なものと仮止めとしての使用に耐える程度のものが考えられる。
【０００９】
この視線誘導用面材１は、暗い道路に沿って取り付けられたときは、主として再帰反射機能部４が車のライトを反射して運転者の視線を誘導するので、道路が暗いときでも運転者の不安は軽減する。また、歩行者であって、格別な光源を持たないときでも、昼間の光で励起されエネルギーを蓄積した蓄光放射機能部３が光るので、歩行者も道路の縁や曲がり具合などを把握しやすく、安心感が生じる。蓄光放射機能部３を覆う酸化チタンの保護皮膜は蓄光放射機能部３の早期劣化を防止し、また、酸化還元作用により、蓄光放射機能部３の表面が汚損されるのを抑制する。
【００１０】
基材２を磁石シートにすると、貼着面５は磁力による吸着面８の定着手段となり、取り付ける対象物が鋼材などの磁性材に限定されるが、定着手段が粘着層よりも取扱い易く、取り付け（定着)のための作業がより簡単になる。（実施例２）。
【００１１】
貼着面５に形成する粘着層７や磁石による吸着面８等の定着手段は、全面に形成する必要はなく、ストライプ状（実施例３、図３）や均一に分散された斑点状（実施例４、図４）であっても良い。磁石シートではなく、固形の永久磁石を均一に分散して固定することもできる。このように粘着層や吸着面が分散していると、視線誘導用面材１が本来備えている可撓性、柔軟性を損なうことが少なく、曲面を持つ対象物の表面になじみやすい。また、一部貼り直しの場合などにはがし易く、扱い易い。
【００１２】
さらに、最近では薄くても強力な磁石シート（希土類ゴム磁石）（１．１ｍｍ厚、表面磁力１２００Ｇ、商品名ネオフレックス（株）ＮＥＯＭＡＸ）が発売されているので、これを視線誘導用面材１に利用することができる。図５（イ）は、その強力な磁力を利用するもので、視線誘導用面材１の貼着面５に粘着層を形成する一方、その長手方向中央部にこの素材を細幅で貼り付けて磁気吸着部９を形成する（実施例５）。この視線誘導用面材１は、定着手段が粘着層７ということになるが、図５（ロ）に示すように、対象物へまず磁気吸着部９で仮止めして、粘着層で本格接着する前に、この状態で視線誘導用面材１を対象物へ正しい姿勢で貼り付けられるか否かを見極めた上で、他の部分を対象物へ接着することができる。磁気吸着部９による仮止めの状態では、粘着層７による接着の場合と異なって比較的自由に視線誘導用面材１の姿勢を調整することができるから、不慣れな者が取り付け作業に加わっても、貼り付けに失敗することが少ない。この場合の粘着層７は視線誘導用面材１の貼着面５の全面に形成されていることもあれば、同貼着面５の両端部やその他部分的に形成されていることもある。
【００１３】
図６は実施例６を示し、定着手段として紐１０を利用している。紐１０は、視線誘導用面材１の両端に取付けられており、結びつけることで定着手段となる。立ち木など接着や吸着が難しく、釘打ちなどもできない場合に有効である。また、着脱が容易である。図７は、定着手段としての紐１０の利用形態であって、実施例６のように、視線誘導用面材１の両端を結合するだけでなく、視線誘導用面材１の四隅を個別に対象物へ定着している。この利用形態は、視線誘導用面材１を取付ける対象物が、多数の格子や桟あるいは網で構成されており、接着や吸着の機能が充分に発揮されにくい面の場合に有効である。紐１０がゴム紐のように、弾力のあるものであると定着性が安定する。
【００１４】
図８は、実施例７を示し、紐１０に替えて軟質の金属によるファスナー１１を定着手段に用いたものであり、視線誘導用面材１の一端に爪１２側を固定し、他端に爪１２を通す孔１３を形成する。視線誘導用面材１を対象物に巻きつけた後、孔１３に爪１２を通して折り曲げることにより定着することができる。爪１２の本数は視線誘導用面材１の幅に応じて定める。また、この実施例７では蓄光放射機能部３と再帰反射機能部４は傾斜したストライプに形成されている。このように、蓄光放射機能部３と再帰反射機能部４の配分ないし配置は限定されない。
【００１５】
ファスナー１１は、単に、視線誘導用面材１の両端に取付けられたやわらかい針金であってもよい。視線誘導用面材１を対象物へ巻き付けた後、両端の針金を撚り合わせることで簡単に定着することができる。定着手段が針金の場合は、対象物がメッシュ状で接着や吸着あるいは紐１０等による定着が困難な場合にも、針金をメッシュの隙間を通して戻し、撚り合わせることで取付けることができる。
【００１６】
図９は実施例８であり、視線誘導用面材１の定着手段をホックボタン１４としたものである。ホックボタン１４は雄ボタン１５と雌ボタン１６を嵌合するもので、視線誘導用面材１の一端に雌ボタン１６を固定し、他端に雄ボタン１５を固定してある。定着の程度に余裕が少ないが、定着が確実であり、着脱が可能である。接着や吸着による手段と併用すると効果が高い。
【００１７】
以上、実施例について説明した。基材２として、可撓性が低くても良い場合には、アクリル樹脂や金属板も使用できる。これらには釘打ちやねじ止めも定着手段となる。ファスナーとしては、ベルクロファスナーも利用できる。
視線誘導用面材１の大きさや形は、実施例のものに限定されない。
【図面の簡単な説明】
【００１８】
【図１】視線誘導用面材の斜視図（一部をめくり上げてある）（実施例１、２）。
【図２】図１のＡ−Ａ断面図。
【図３】貼着面側から見た斜視図（実施例３）。
【図４】貼着面側から見た斜視図（実施例４）。
【図５】イは貼着面の平面図、ロは使用状態を説明する斜視図。
【図６】取付けた状態で示した視線誘導用面材の斜視図（実施例６）。
【図７】取付けた状態で示した視線誘導用面材の斜視図。
【図８】取付けた状態で示した視線誘導用面材の斜視図（実施例７）。
【図９】取付けた状態で示した視線誘導用面材の斜視図（実施例８）。
【符号の説明】
【００１９】
１  視線誘導用面材
２  基材
３  蓄光放射機能部
４  再帰反射機能部
５  貼着面
６  保護皮膜
７  粘着層
８  吸着面
９  磁気吸着部
１０  紐
１１  ファスナー
１２  爪
１３  孔
１４  ホックボタン
１５  雄ボタン
１６  雌ボタン
【図１】
0003124661.tif 000003
【図２】
0003124661.tif 000004
【図３】
0003124661.tif 000005
【図４】
0003124661.tif 000006
【図５】
0003124661.tif 000007
【図６】
0003124661.tif 000008
【図７】
0003124661.tif 000009
【図８】
0003124661.tif 000010
【図９】
0003124661.tif 000011